(57)【要約】      （修正有）【課題】鉢植え植物の中央部（生長点）への日照を改善しつつ、必要に応じて中央部（生長点）の所望領域にピークを有する光を補光することができる花芽分化促進用補光装置を提供する。【解決手段】塊茎８の生長点９の周囲から伸びる葉１１の茎１２を放射状に押し広げる押圧部２と、この押圧部２に固設され、押圧部２の中央側でかつ鉛直下方側に向かって波長３９０〜４７０ｎｍの間にピークを有する光を発光する少なくとも１のＬＥＤ光源３と、押圧部２の鉛直下方側に突設される少なくとも２本の脚部４，４とを有し、押圧部２は、ループ状をなし、押圧部２を少なくとも２以上に分割する切れ目５を備えていることを特徴とする。【選択図】図２
0003203804.tif 000002
【実用新案登録請求の範囲】
【請求項１】
塊茎の生長点の周囲から伸びる葉の茎を放射状に押し広げる押圧部と、
この押圧部に固設され、前記押圧部の中央側でかつ鉛直下方側に向かって波長３９０〜４７０ｎｍの間にピークを有する光を発光する少なくとも１のＬＥＤ光源と、
前記押圧部の鉛直下方側に突設される少なくとも１本の脚部とを有し、
前記押圧部は、可撓材からなり、かつ、ループ状をなし、前記押圧部を押し広げるための切れ目を備えていることを特徴とする花芽分化促進用補光装置。
【請求項２】
塊茎の生長点の周囲から伸びる葉の茎を放射状に押し広げる押圧部と、
この押圧部に固設され、前記押圧部の中央側でかつ鉛直下方側に向かって波長３９０〜４７０ｎｍの間にピークを有する光を発光する少なくとも１のＬＥＤ光源と、
前記押圧部の鉛直下方側に突設される少なくとも２本の脚部とを有し、
前記押圧部は、ループ状をなし、前記押圧部を少なくとも２以上に分割する切れ目を備えていることを特徴とする花芽分化促進用補光装置。
【請求項３】
前記押圧部は、その下側に鉛直上方から鉛直下方に向かって拡径する傾斜面を備え、
前記ＬＥＤ光源は、前記傾斜面上に設けられていることを特徴とする請求項１又は請求項２に記載の花芽分化促進用補光装置。
【請求項４】
前記押圧部及び前記脚部は、合成樹脂からなる、又は、合成樹脂により表面がコーティングされていることを特徴とする請求項１乃至請求項３のいずれか１項に記載の花芽分化促進用補光装置。
【考案の詳細な説明】
【技術分野】
【０００１】
本考案は、鉢植え植物の花芽分化を促進するとともに外観の見映えが良くて商品価値の高い鉢植え植物の生産を容易にする花芽分化促進用補光装置に関する。
【背景技術】
【０００２】
はじめに、鉢植えされたシクラメンの形態について図３を参照しながら詳細に説明する。
図３は培養土に植え付けられたシクラメンの断面図である。
図３に示すように、シクラメン７は、培養土１３中に植え込まれる塊茎８の頂部に生長点９を有し、この生長点９から葉１１や図示しない花芽が分化して、塊茎８上に伸びる。また、シクラメン７は、塊茎８の表面から培養土１３中に根１０を伸ばしていて、培養土１３中の養分や水をこの根１０から吸収している。
また、シクラメン７は、生長点９への日照量が多いほど花芽の分化が促進されて、シクラメン７の商品価値が高まることが知られている。
しかも、シクラメン７では、生長点９において葉１１のみならず図示しない花芽も分化して伸びるため、そのまま放置すると葉１１の茎１２の間に花芽が混在した状態となり、見栄えが悪くなってしまっていた。
この場合、塊茎８の生長点９上に繁茂する葉１１（茎１２）を塊茎８の周縁側に押し倒して、生長点９上を開放状態にする「葉組み」と呼ばれる作業を行っている。
そして、シクラメン７では、この「葉組み」を行うことで、生長点９への日照量が増加し、これにより生長点９における花芽の分化が促進され、シクラメン７の中央部（生長点９の真上）に花芽を集中させることができる。これにより、シクラメン７の草姿（外観上）の見映えを良くすることができる。
しかしながら、このような「葉組み」作業は通常、人手により行われるため、作業性を向上させ難いという課題を有していた。
このような課題に対処するため、シクラメン７の塊茎８上に生い茂る茎１２を塊茎８の周囲に放射状に押し倒して、生長点９への日照を改善するための治具が発明され使用されている。
【０００３】
特許文献１には「鉢植え植物生長調整用リング」という名称で、鉢植え植物の上に乗せて、葉や茎の一部を外側に拡げたままに保つことができる治具に関する考案が開示されている。
特許文献１に開示される考案である鉢植え植物生長調整用リングは、全体が植木鉢の内径より幾分小さい径で、周方向複数の円弧体に分割されたリング体からなり、植物の茎や葉の上に乗せて植木鉢に植えられている植物の中心部への日照量を高めるようにしたことを特徴とするものである。
上記構成の特許文献１に開示される考案によれば、植木鉢中央寄りの葉茎への日差しを遮る植木鉢外側寄りの葉茎は、生長調整用リング（円弧体）の重量により植木鉢外方に押し拡げられて、植木鉢中央寄りの葉茎及び花芽への日照量が増えるので、鉢植え植物の内側の生育が良くなって葉茎全体が円弧状に盛り上がった体裁の良い植木が得られる。
また、特許文献１に開示される生長調整用リングは、周方向複数個の円弧体に分割されており、繁茂して調整用リング（円弧体）に絡みついた状態の葉茎の間から円弧体を抜き出すことが容易で、葉組み作業の邪魔にならず、従来の葉組み作業時間を著しく短縮することができるという効果も有する。
【０００４】
特許文献２には、「鉢植え植物栽培における葉組み用リング支柱」という名称で、葉を外側にかき寄せて常に葉芽（つぼみ）に光が当たるようにするための治具が開示されている。
特許文献２に開示される考案である鉢植え植物栽培における葉組み用リング支柱は、文献中に記載される符号をそのまま用いて説明すると、切欠部３を有する輪状体からなる切欠輪状体４と２本の穿孔基足５、６並びに２本の差込足７、８をプラスチックス材にて一連成形し、かつ、水平状の切欠輪状体４に垂下して一体成形した前記２本の穿孔基足５、６に前記差込足７、８を各々連結して構成したことを特徴とするものである。
特許文献２に開示される考案によれば、植物の生長過程に伴ってその葉組み作業をワンタッチで行うことができるという効果を有する。また、これにより葉組み作業に関する労力と時間が省けるとともに常に一定高品質の鉢植え植物をコスト安で安定的に提供できるという効果も有する。
【０００５】
非特許文献１には、先の図３に示すシクラメン７の生長点９にその鉛直上方側からＬＥＤ光源を用いて所望の波長の光を補光することで、シクラメン７の新芽や花芽の分化を促進するという技術内容が開示されている。
非特許文献１に開示される技術内容によれば、図３に示すシクラメン７の生長点９上に明期１２時間の補光を行い、その際に補光される光の色を青色光にすることで、葉数を増加させることができる。また、補光時の光の色を赤色光にすることで開花数を増加させることができる。
【先行技術文献】
【特許文献】
【０００６】
【特許文献１】実開平６−１９４２９号公報
【特許文献２】実用新案登録第３０９９３０２号公報
【非特許文献】
【０００７】
【非特許文献１】長嶋  豊之、「シクラメン生産におけるＬＥＤの塊茎近接照射〜葉組み作業の軽減化を目指して〜」、ハイドロポニックス、日本、日本養液栽培研究会、２０１３年３月１５日、第２６巻、第２号、ｐ４０−４１
【考案の概要】
【考案が解決しようとする課題】
【０００８】
特許文献１に開示される考案によれば、シクラメンの葉組み作業を簡略化できると考えられるものの、鉢植え植物生長調整用リングを固定するための構造を有しないため、鉢植え植物を移動する際に、鉢植え植物生長調整用リングの位置がずれる、あるいは、落下する恐れがあった。
また、特許文献２に開示される考案によれば、差込足７、８を有することで、鉢植え植物の培養土に差込足７、８を差し込んで葉組み用リング支柱を固定することができる。このため、特許文献２に開示される考案によれば、特許文献１に開示される考案を用いる場合の課題を解決することができる。加えて、特許文献２に開示される考案によれば、葉組み用リング支柱を培養土に固定することができるので、切欠輪状体４による葉茎の押し広げ効果も高めることができる。
【０００９】
しかしながら、特許文献１，２に開示される考案を用いる場合は、シクラメン栽培時における葉組み作業を軽減できるものの、シクラメン７の花芽を分化させる効果としては、葉組み作業を行う場合と同等の効果しか期待できなかった。
【００１０】
他方、非特許文献１に開示される技術によれば、先の図３に示すシクラメン７の生長点９上に赤色光を補光することで、生長点９における花芽の分化を促進できると考えられる。しかしながら、その効果は、シクラメン７に対して葉組み作業を行うことなく、シクラメン７に対して葉組み作業を行った場合に期待される効果と同等の効果を発揮させるというものである。
つまり、非特許文献１に開示される技術を用いる場合は、生長点９に補光することで花芽の分化を促進できたとしても、葉組み作業が行われないことで生長点９から分化した花芽が葉茎中に混在した状態となる。このため、草姿（外観）が優れたシクラメン７の鉢植えを生産するためには、やはり茎葉を塊茎８の周辺に押し広げて花芽を生長点９の上方にさせる葉組み作業を行う必要があった。
【００１１】
本考案はかかる従来の事情に対処してなされたものであり、生長点への日照量を増加させることができ、草姿（外観）の優れた高品質な鉢植え植物を効率良く生産することができる花芽分化促進用補光装置を提供することにある。
【課題を解決するための手段】
【００１２】
上記課題を解決するため第１の考案である花芽分化促進用補光装置は、塊茎の生長点の周囲から伸びる葉の茎を放射状に押し広げる押圧部と、この押圧部に固設され、押圧部の中央側でかつ鉛直下方側に向かって波長３９０〜４７０ｎｍの間にピークを有する光を発光する少なくとも１のＬＥＤ光源と、押圧部の鉛直下方側に突設される少なくとも１本の脚部とを有し、押圧部は、可撓材からなり、かつ、ループ状をなし、押圧部を押し広げるための切れ目を備えていることを特徴とするものである。
上記構成の第１の考案において、ループ状の押圧部は、植物体（例えば、シクラメン）の生長点の周囲に繁茂する葉茎を塊茎の周囲に放射状に押し広げてその状態を維持し、塊茎の頂点の中央部に位置する生長点に到達する日照量を増加させるという作用を有する。また、ＬＥＤ光源は、波長３９０〜４７０ｎｍの間にピークを有する光を発光することで、植物体の生長点に補光して花芽の分化を促進するという作用を有する。さらに、ＬＥＤ光源から発せられる光を、押圧部の中央側でかつ鉛直下方側に向かって放射することで、植物体（例えば、シクラメン）の生長点に効率良く波長３９０〜４７０ｎｍの間にピークを有する光を供給するという作用を有する。加えて、脚部は、植物体が植え付けられる培養土に差し込まれることで、植物体の生長点上にその中空部を配しながら押圧部を着脱可能に支持固定するという作用を有する。そして、押圧部が可撓材からなり、かつ、切れ目を備えていることで、押圧部の中空部内において鉛直上方側に向かって伸びる花芽及びその茎に押圧部を極力触れさせることなく植物体（例えば、シクラメン）から押圧部を取り外すことを可能にするという作用を有する。
【００１３】
第２の考案である花芽分化促進用補光装置は、塊茎の生長点の周囲から伸びる葉の茎を放射状に押し広げる押圧部と、この押圧部に固設され、押圧部の中央側でかつ鉛直下方側に向かって波長３９０〜４７０ｎｍの間にピークを有する光を発光する少なくとも１のＬＥＤ光源と、押圧部の鉛直下方側に突設される少なくとも２本の脚部とを有し、押圧部は、ループ状をなし、押圧部を少なくとも２以上に分割する切れ目を備えていることを特徴とするものである。
上記構成の第２の考案において、ループ状の押圧部は、植物体（例えば、シクラメン）の生長点の周囲に繁茂する葉茎を塊茎の周囲に放射状に押し広げてその状態を維持し、塊茎の頂点の中央部に位置する生長点に到達する日照量を増加させるという作用を有する。また、ＬＥＤ光源は、波長３９０〜４７０ｎｍの間にピークを有する光を発光することで、植物体の生長点に補光して花芽の分化を促進するという作用を有する。さらに、ＬＥＤ光源から発せられる光を、押圧部の中央側でかつ鉛直下方側に向かって放射することで、植物体（例えば、シクラメン）の生長点に効率良く波長３９０〜４７０ｎｍの間にピークを有する光を供給するという作用を有する。加えて、脚部は、植物体が植え付けられる培養土に差し込まれることで、植物体の生長点上にその中空部を配しながら押圧部を着脱可能に支持固定するという作用を有する。そして、押圧部を２以上に分割するための切れ目を備えることで、植物体（例えば、シクラメン）から押圧部を取り外す際に、必要に応じて押圧部を２以上に分割させるという作用を有する。これにより、植物体から押圧部を取り外す際に、押圧部の中空部内において鉛直上方側に向かって伸びる花芽及びその茎に押圧部を触れにくくするという作用を有する。
【００１４】
第３の考案である花芽分化促進用補光装置は、上記第１又は第２の考案であって、押圧部は、その下側に鉛直上方から鉛直下方に向かって拡径する傾斜面を備え、ＬＥＤ光源は、傾斜面上に設けられていることを特徴とするものである。
上記構成の第３の考案は、上述の第１又は第２の考案と同じ作用に加えて、押圧部がその下側に傾斜面を備えることで、ＬＥＤ光源から発せられる波長３９０〜４７０ｎｍの間にピークを有する光を、押圧部の中央側でかつ鉛直下方側に集光させやすくするという作用を有する。また、このような第３の考案によれば、ＬＥＤ光源から発せられる波長３９０〜４７０ｎｍの間にピークを有する光を、押圧部の中央側でかつ鉛直下方側に集光させるための押圧部及びＬＥＤ光源の取付け構造をシンプルにして、その製造を容易にするという作用を有する。
【００１５】
第４の考案である花芽分化促進用補光装置は、上記第１乃至第３の考案のいずれかであって、押圧部及び脚部は、合成樹脂からなる、又は、合成樹脂により表面がコーティングされていることを特徴とするものである。
上記構成の第２の考案は、上述の第１乃至第３のそれぞれの考案による作用と同じ作用に加えて、外気温の変化やＬＥＤ光源の発光に伴う押圧部や脚部の表面における温度変化を極力小さくするという作用を有する。これにより、押圧部や脚部に触れる植物体の組織が、押圧部や脚部の温度変化により害を受けるリスクを軽減するという作用を有する。
【考案の効果】
【００１６】
上述のような第１の考案によれば、ループ状の押圧部により、鉢植え植物（例えば、シクラメン）の葉の茎を、中心からその周囲に向かって放射状に押し広げ、かつ、その状態を維持することができる。
これにより、ループ状の押圧部の中空部、すなわち、鉢植え植物の中央部への日照量を増加させることができる。この結果、鉢植え植物の中央部（生長点のある領域）における花芽の分化を促進することができる。
また、第１の考案によれば、押圧部が少なくとも１のＬＥＤ光源を備えることで、日照が期待できない時間帯、又は、日照が不足する時間帯に、押圧部の中央側（中空側）でかつ鉛直下方側に波長３９０〜４７０ｎｍの間にピークを有する光を照射することができる。特に、鉢植え植物がシクラメンである場合は、一日のうち日照が期待できない時間帯、又は、日照が不足する時間帯に、生長点に波長３９０〜４７０ｎｍの間にピークを有する光を照射することができ、これにより生長点における花芽の分化を促進することができる。
さらに、押圧部に突設される脚部を、鉢植え植物の培養土に突き刺しておくことで、植物体の葉の茎を押さえつけている押圧部をその位置にしっかりと固定しておくことができる。鉢植え植物が特にシクラメンである場合は、脚部を備えることで葉数が増えた場合でも、押圧部の浮き上がりを好適に防止して葉組み効果を確実に発揮させ続けることができる。
加えて、押圧部を可撓材により構成し、かつ、その形態をループ状とし、さらに、このような押圧部に切れ目を設けておくことで、鉢植え植物から押圧部を取り外す際に、切れ目から押圧部を押し広げながら取外すことができる。これにより、押圧部の中空部内に伸長した花芽に、押圧部を極力触れさせることなく押圧部を鉢植え植物から取り外すことができる。
よって、第１の考案によれば、押圧部を備えることによる生長点への日照量の増加効果のみならず、ＬＥＤ光源を備えることで日照が期待できない時間帯や、日照量が不足する時間帯に、波長３９０〜４７０ｎｍの間にピークを有する光を補光することができる。この結果、花芽が多く、しかも、鉢植えの中央部に花芽が集中して配された、極めて草姿（外観）の優れた鉢植え植物を効率良く生産することができる。
つまり、第１の考案を用いる場合は、ＬＥＤ光源により補光する場合（例えば、非特許文献１に開示される技術を参酌する場合）でも、鉢植え植物に対する葉組み作業を軽減することができ、しかも、押圧部を備えることによる日照量の増加効果のみならず、所望の波長を有する光を補光するという効果も付加できるので、高品質な鉢植え植物（例えば、シクラメン）をより少ない手間で効率良く生産することができる。
【００１７】
第２の考案は、押圧部の性質や形態が異なる以外は第１の考案と同じである。
より具体的には、第１の考案では押圧部が、可撓材からなり、かつ、ループ状をなし、さらに、押圧部を押し広げるための切れ目を備えているのに対して、第２の考案では押圧部は、ループ状をなし、押圧部を少なくとも２以上に分割する切れ目を備えている。つまり、第１の考案では、ループ状の押圧部を変形させることができるよう構成されているのに対し、第２の考案では、ループ状の押圧部を変形させる代わりに、少なくとも２以上のパーツに分割できるよう構成されている。
従って、第２の考案では、鉢植え植物から押圧部を取り外す際に、ループ状の押圧部を少なくとも２以上に分割することで、押圧部の中空部内に伸長した花芽に、押圧部を極力触れさせないようにしながら押圧部を鉢植え植物から取り外すことができる。
よって、第２の考案は、第１の考案と同じ効果を有している。
【００１８】
第３の考案は、上述の第１又は第２の考案と同じ効果に加えて、押圧部がその下側に傾斜面を備えることで、押圧部の中央側でかつ鉛直下方側に向かって波長３９０〜４７０ｎｍの間にピークを有する光を放射させるためのＬＥＤ光源の取付け構造をシンプルにすることができる。
この場合、第３の考案の製造を容易にできるので、第３の考案の生産性を向上させることができ、第３の考案を廉価に提供できるというメリットを有する。
さらに、第３の考案では、傾斜面にＬＥＤ光源を設けることで、ループ状の押圧部の内側面よりもＬＥＤ光源が後退した状態で配置されることになる。この場合、鉢植え植物の葉茎を押し広げるために押圧部を載置した際に、ＬＥＤ光源が鉢植え植物の葉茎に直接接触するのを好適に防止することができる。
一般に、ＬＥＤ光源が発光する際の発熱量は蛍光灯やその他の光源と比較して極めて小さいが、第３の考案によれば、鉢植え植物に対してＬＥＤ光源により補光する際に、ＬＥＤ光源から発せられる熱により植物がダメージを受けるのを好適に防止できる。
よって、第３の考案によれば、より確実に高品質な鉢植え植物を生産することができる。
【００１９】
第４の考案は、上述の第１乃至第３の考案のそれぞれと同じ効果に加えて、合成樹脂は金属に比べて熱伝導性が劣るので、押圧部及び脚部を、合成樹脂製、又は、合成樹脂により表面がコーティングされたものとすることで、押圧部及び脚部が植物に直接接触した際に、ＬＥＤ光源から発せられる熱で植物が損傷するのを防止することができる。
よって、第４の考案によれば、一層確実に高品質な鉢植え植物を生産することができる。
【図面の簡単な説明】
【００２０】
【図１】（ａ）本考案の実施の形態に係る花芽分化促進用補光装置の概念図であり、（ｂ）本考案の実施の形態に係る花芽分化促進用補光装置の断面図である。
【図２】本考案の実施の形態に係る花芽分化促進用補光装置の使用状態を示す断面図である。
【図３】培養土に植え付けられたシクラメンの断面図である。
【図４】本試験に供試した各サンプルの全体品質、草姿及び硬さについての評価結果を示したグラフである。
【考案を実施するための形態】
【００２１】
本考案の実施の形態に係る花芽分化促進用補光装置およびそれを用いた鉢植え植物の栽培方法について図１，２を参照しながら詳細に説明する。
【００２２】
まず、図１を参照しながら本考案の実施の形態に係る花芽分化促進用補光装置の概要について説明する。
図１（ａ）は本考案の実施の形態に係る花芽分化促進用補光装置の概念図であり、図１（ｂ）は本考案の実施の形態に係る花芽分化促進用補光装置の断面図である。なお、図１（ｂ）は、図１（ａ）中のＡ−Ａ線矢視断面図である。
本考案に係る花芽分化促進用補光装置１は、例えば、先の図３に示すような培養土に植え付けられたシクラメン７（鉢植えシクラメン７）を栽培する際に、シクラメン７の葉１１の茎１２の中ほど（図３中の符号Ｂで示す位置）を塊茎８の外側に向かって放射状に押し広げるための治具である。
このような本実施の形態に係る花芽分化促進用補光装置１は、図１（ａ），（ｂ）に示すように、先の図３に示すシクラメン７の塊茎８の生長点９の周囲から伸びる葉１１の茎１２を放射状に押し広げるためのループ状の押圧部２と、この押圧部２に固設され、ループ状の押圧部２の中央側（中空側）の鉛直下方側に向かって波長３９０〜４７０ｎｍの間にピークを有する光を発光する少なくとも１のＬＥＤ光源３と、ループ状の押圧部２の鉛直下方側に突設される少なくとも２本の脚部４とにより構成されるものである。
加えて、本実施の形態に係る花芽分化促進用補光装置１のループ状の押圧部２は、その２ヶ所に切れ目５，５を備えることで、押圧部２を２つに分割することができる。
なお、図１には、花芽分化促進用補光装置１の押圧部２に脚部４が２本突設される場合を例に挙げて説明しているが、脚部４の数を２本に特定する必要は特にない。
後段において説明するが、例えば、押圧部２を可撓材により構成し、ループ状の押圧部２の１箇所にのみ切れ目５を入れる場合は、押圧部２に突設される脚部４は１本でもよい。
【００２３】
次に、図２を参照しながら、本実施の形態に係る花芽分化促進用補光装置１の使用方法について説明する。
図２は本考案の実施の形態に係る花芽分化促進用補光装置の使用状態を示す断面図である。なお、図１，３に記載されたものと同一部分については同一符号を付し、その構成についての説明は省略する。
図２に示すように、本実施の形態に係る花芽分化促進用補光装置１は、先の図３に示すシクラメン７の塊茎８の中心部の真上から、葉１１の茎１２の中ほどに、つまり、先の図３中の破線Ｂで示す位置に、押圧部２を載置するように押し付けて使用する。この時、押圧部２の下側に突設される脚部４を、シクラメン７が植え付けられている培養土１３中に差し込むことで、塊茎８上における押圧部２の設置位置を固定することができる。
さらに、この時シクラメン７の葉１１の茎１２は、押圧部２の下面により押さえ付けられることで、押圧部２の外縁の周囲に放射状に広がった状態になる。これにより、ループ状の押圧部２の中空部内において塊茎８の生長点９が開放状態となり、生長点９への日照が改善される。つまり、押圧部２をシクラメン７の茎１２上に載置するだけで、シクラメン７において従来公知の葉組み作業を完了した状態が実現される。
【００２４】
このようにシクラメン７の葉１１の茎１２に押圧部２を載置するだけでも塊茎８の生長点９への十分な日照改善効果が発揮されるが、本考案では、押圧部２の下側に、ＬＥＤ光源３を備えていることで、開放状態となった生長点９に対して花芽の分化を促進する波長３９０〜４７０ｎｍの間にピークを有する光を補光することができる。
そして、本実施の形態に係る花芽分化促進用補光装置１では、波長３９０〜４７０ｎｍの間にピークを有する光が、押圧部２の中央側（中空側）の鉛直下方側に照射されるようＬＥＤ光源３を押圧部２に配することで、シクラメン７の葉１１の茎１２を押え付けるようにして押圧部２を配した状態のまま、塊茎８の生長点９に確実に補光することができる。
このような本実施の形態に係る花芽分化促進用補光装置１では、シクラメン７の茎１２上にループ状の押圧部２を載置することで、明期における生長点９への日照を改善することができる。さらに、本実施の形態に係る花芽分化促進用補光装置１では、押圧部２がＬＥＤ光源３を備えることで、日照が期待できない時間帯や、日照が不足する時間帯にも塊茎８の生長点９に対して波長３９０〜４７０ｎｍの間にピークを有する光を照射することができる。
【００２５】
特に、本実施の形態に係る花芽分化促進用補光装置１を用いる場合は、ＬＥＤ光源３を備えていることで、十分な日照が期待できない時間帯（例えば、１７：００〜５：００）に、ＬＥＤ光源３を発光させることで、シクラメン７の生長点９に波長３９０〜４７０ｎｍの間にピークを有する光を補光することができる。
このように本実施の形態に係る花芽分化促進用補光装置１を用いることで、ループ状の押圧部２をシクラメン７に設置することによる生長点９への明期の日照量増加効果に加えて、ＬＥＤ光源３の発光による暗期の補光効果が加わることで、生長点９における花芽の分化を好適に促進させることができる。
さらに、本実施の形態に係る花芽分化促進用補光装置１を用いる場合は、生長点９において分化した花芽が、ループ状の押圧部２の中空部内に伸長することで、鉢の中央に花茎が集合した、草姿の良い高品質な鉢植え植物（例えば、シクラメン７）を効率良く生産することができる。
【００２６】
なお、図１，２には特に示していないが、押圧部２の内部断面及び外部にはＬＥＤ光源３に電力を供給するための配線構造が設けられている。また、個々の押圧部２には、外部に設けられる配線構造を介して電力を供給しても良いし、個々の押圧部２から導出される配線構造にそれぞれ独立した電源（例えば、電池）を設けてもよい。
また、本実施の形態に係る花芽分化促進用補光装置１では、押圧部２を２つのパーツに分割できるように構成しており、押圧部２を構成するそれぞれのパーツに対して個別に電力を供給できるよう構成してもよい。あるいは、押圧部２を複数に分割可能に構成しつつ、押圧部２を構成する個々のパーツを電力供給用の配線構造によりつないでもよい。この時、押圧部２を構成する個々のパーツをつなぐ配線構造を着脱可能に構成してもよい。
【００２７】
さらに、本実施の形態に係る花芽分化促進用補光装置１では、押圧部２をその平面方向に２つに分割可能に構成しておくことで、鉢植え植物である、例えば、シクラメン７から押圧部２を取り外す際に、ループ状の押圧部２を切れ目５，５において切断して分解しながら取り外すことができる。
この場合、押圧部２からなるループの中空部内から花芽を引き抜く作業を行う必要がなくなるので、出荷前のシクラメン７の花芽の損傷を極力防止することができる。
また、図１，２では、押圧部２をその平面方向に２分割するようにループの２ヶ所に切れ目５，５を設ける場合を例に挙げて説明しているが、ループ状の押圧部２は３つ以上に分割できるよう構成してもよい。ただし、押圧部２を２以上に細かく分割するとＬＥＤ光源３への電力供給構造が複雑化するだけでなく、押圧部２による茎１２の押し広げ効果が低下するなどの新たな課題が生じることが予測されるため、押圧部２を３つ以上に分割するメリットはあまりないと考えられる。
【００２８】
さらに、特に図示しないが、本実施の形態に係る花芽分化促進用補光装置１の押圧部２を、上述のように２以上のパーツに分割可能に構成することに代えて、ループ状の押圧部２を可撓材により構成し、押圧部２を押し広げ可能にするための切れ目５を一か所だけ形成する構成にしてもよい。
この場合、押圧部２に形成される切れ目５が一か所のみでも、押圧部２が可撓性を有することで、押圧部２に外力を加えることでループ状の押圧部２を押し広げることができる。
この結果、押圧部２を複数に分割可能に構成した場合と同様に、鉢植え植物である、例えば、シクラメン７から押圧部２を取り外す際に、ループの中空部から花芽を抜き取るという作業を行う必要がなくなる。これにより、シクラメン７から押圧部２を花芽を傷つけることなく取り外すことができる。
【００２９】
次に、図１，２を参照しながら、上述のような実施の形態に係る花芽分化促進用補光装置１に必要に応じて付加可能な構成又は置換可能な構成について説明する。
（１）押圧部２へのＬＥＤ光源３の取付け構造について
図１，２に示すように、本実施の形態に係る花芽分化促進用補光装置１では、押圧部２の下方側に配される下面２ａと内側面２ｂとを結ぶ傾斜面６を形成しておき、この傾斜面６にＬＥＤ光源３を設ける構成としてもよい。
この場合、波長３９０〜４７０ｎｍの間にピークを有する光を、押圧部２の中央側でかつ鉛直下方側に向かって照射するためのＬＥＤ光源３の押圧部２への取付け構造をシンプルにできるというメリットがある。
さらに、この場合、本実施の形態に係る花芽分化促進用補光装置１の製造が容易になるので、廉価な花芽分化促進用補光装置１を提供できるという効果を有する。
なお、押圧部２の外側面２ｃと傾斜面６の成す角度θ（図１（ｂ）を参照）は、好ましくは、３０〜６０度の範囲内に設定することが望ましい。
この場合、押圧部２の中央側（中空部側）でかつ鉛直下方側に向かって波長３９０〜４７０ｎｍの間にピークを有する光を効率良く照射することができる。
【００３０】
また、本実施の形態に係る花芽分化促進用補光装置１では、押圧部２の下側に傾斜面６を設けることで、ＬＥＤ光源３を備えたループ状の押圧部２を、鉢植え植物である、例えば、シクラメン７の葉１１の茎１２上に載置した際に、茎１２がＬＥＤ光源３に直接接触し難くすることができる。
これは、押圧部２が傾斜面６を備えることで、ＬＥＤ光源３が押圧部２の内側面２ｂよりも内側に配置され、さらに、押圧部２の下面２ａ（又は押圧部２の外側面２ｃと傾斜面６の交差部）によりシクラメン７の葉１１の茎１２が押し下げられることで、必然的に茎１２がＬＥＤ光源３に接触し難くなることによるものである。
ＬＥＤ光源３では、白熱灯や電球と比較すると、発光時に生じる熱が極めて少ないものの、発熱が全く無いわけではないので、長期間植物体の近傍にＬＥＤ光源３が配置されることによる影響が全くないとは言い切れない。
しかしながら、本実施の形態に係る花芽分化促進用補光装置１では、押圧部２が傾斜面６を備えることで、葉１１の茎１２にＬＥＤ光源３が直接触れるリスクを大幅に低減することができる。これにより、波長３９０〜４７０ｎｍの間にピークを有する光を塊茎８の生長点９に照射する際に、植物体に与える悪影響を最少限度にすることができる。
なお、本実施の形態に係る花芽分化促進用補光装置１では、押圧部２が下面２ａを備える場合を例に挙げて説明しているが、下面２ａを形成することなく、押圧部２の外側面２ｃと傾斜面６とを交差させてもよい。あるいは、押圧部２を載置した際の植物体への物理的な負荷をより軽減するために、押圧部２の外側面２ｃと傾斜面６の交差部に湾曲面を形成しておいてもよい。この場合、押圧部２でシクラメン７の茎１２を押圧する際に、押圧部２に形成される湾曲面が植物体に直接触れるため、植物体への物理的な負荷を確実に軽減することができる。
【００３１】
（２）ＬＥＤ光源３について
図１，２に示すように、本実施の形態に係る花芽分化促進用補光装置１では、ＬＥＤ光源３として砲弾型のものを使用しているが、ＬＥＤ光源３は面状光源でもよい。この場合、ＬＥＤ光源３の設置面をよりフラットにできるので、ＬＥＤ光源３と茎１２の接触を一層好適に防止することができる。
また、ＬＥＤ光源３を面状光源とした場合の効果は、押圧部２がその下側に傾斜面６を備えることで顕著に発揮される。
【００３２】
（３）押圧部２の表面を構成する材質について
押圧部２は合成樹脂製としてもよい。あるいは、押圧部２の表面を合成樹脂によりコーティングしてもよい。
合成樹脂は金属と比較して熱伝導性が低いため、押圧部２を合成樹脂により構成する、あるいは、押圧部２の表面を合成樹脂によりコーティングすることで、ＬＥＤ光源３において発生した熱が、押圧部２に伝達されて、この押圧部２から葉１１の茎１２に伝達されるのを好適に防止することができる。
あるいは、周囲の温度変化に伴って押圧部２の温度が、鉢植え植物に害を及ぼすような高温又は低温になるのを防止するという効果も有する。つまり、鉢植え植物である、例えば、シクラメン７と押圧部２との接触部分に、熱による害が生じるのを好適に防止できる。
この結果、鉢植え植物である、例えば、シクラメン７に本実施の形態に係る花芽分化促進用補光装置１を長期間設置しておくことによる不具合の発生を好適に防止できる。これにより、鉢植え植物を健全に生育させることができる。
よって、本実施の形態に係る花芽分化促進用補光装置１を用いることで、高品質な鉢植え植物を効率良く生産することができる。
なお、以下に示す試験では、塩化ビニル製の押圧部２を用いたが、押圧部２を構成する合成樹脂、あるいは、押圧部２の表面をコーティングする合成樹脂としては、塩化ビニル以外のものを用いてもよい。
【００３３】
（４）脚部４について
特に図示しないが、本実施の形態に係る花芽分化促進用補光装置１では、脚部４を押圧部２から分離可能に構成してもよい。つまり、押圧部２に脚部４を着脱可能に挿設しておいてもよい。あるいは、押圧部２の下面側に、突起を形成しておき、棒状の脚部４の頂部に嵌合させてもよい。
このように押圧部２から脚部を分離可能に構成することで、鉢植え植物である、例えば、シクラメン７から押圧部２を取り外す際に、取外し作業中に押圧部２や脚部４により植物体を損傷するリスクを大幅に低減することができる。
より具体的には、脚部４が押圧部２から分離可能である場合は、鉢植え植物である、例えば、シクラメン７から押圧部２を取り外すにあたり、まず、押圧部２と脚部４の接続状態を解除してから、押圧部２をシクラメン７の茎１２上から取外し、この作業の後、鉢植えの培養土１３に挿設された脚部４を抜き取ればよい。
【００３４】
（５）ＬＥＤ光源３の数について
本実施の形態に係る花芽分化促進用補光装置１では、押圧部２に設けるＬＥＤ光源３の数を１〜１２としている。もちろん、ＬＥＤ光源３からの発熱が大きくなりすぎないのであれば、これ以上の数のＬＥＤ光源３を設けてもよい。
【００３５】
なお、上述の特徴（１）〜（５）はいずれも、本実施の形態に係る花芽分化促進用補光装置１にそれぞれ単独で付加してもよいし、そのうちのいくつか又は全てを組み合わせて付加してもよい。
また、ここでは本実施の形態に係る花芽分化促進用補光装置１をシクラメン７に用いる場合を例に挙げて説明しているが、シクラメン７以外にも鉢植え植物の草丈が高くならず、鉢の中央に生長点が配され、この生長点に所望の領域の波長の光を照射することで、花芽の分化を促進できるものに使用することができる。
なお、本実施の形態に係る花芽分化促進用補光装置１をシクラメン以外の植物に用いる場合は、ＬＥＤ光源３から放射される補光用の光の波長が、３９０〜４７０ｎｍの間にピークを有さない場合もある。
【００３６】
なお、本実施の形態においては花芽分化促進用補光装置１を、従来公知の葉組みリングと一体化させたものとして、構成する場合を例に挙げて説明しているが、従来公知の葉組みリング（脚部付）とは別体に押圧部２及びＬＥＤ光源３等を設け、従来公知の葉組みリングを、別体に設けられる押圧部２及びＬＥＤ光源３等に一体に取設可能としてもよい。
この場合も、本実施の形態に係る花芽分化促進用補光装置１と同じ作用、効果を発揮させることができる。
また、従来公知の葉組みリングとは別体に押圧部２及びＬＥＤ光源３を設ける場合は、押圧部２に従来公知の葉組みリングを着脱可能に取設できるよう、段差部や凹部、あるいは、嵌合構造等（いずれも図示せず）を設けてもよい。
【００３７】
最後に、本実施の形態に係る花芽分化促進用補光装置１を用いることによる効果を立証するために行った試験結果について図４を参照しながら説明する。
（ｉ）試験条件について
同じ環境下で栽培した鉢植えシクラメン７のうち、草姿の似通ったものを２０鉢を選び、４つのグループに分けた。この後、葉組み作業を行う代わりに、本実施の形態に係る花芽分化促進用補光装置１（図１に示すもの）を葉１１の茎１２上に設置した。なお、それぞれのサンプルに設置した花芽分化促進用補光装置１は、塩化ビニル製で、押圧部２の内径（押圧部２の内側面２ｂ−内側面２ｂ間距離）が１００.８ｍｍ、鉛直方向厚み（高さ）が１２ｍｍ、さらに、押圧部２の外側面２ｃと傾斜面６との成す角度θが４５度であるものを用いた。さらに、ＬＥＤ光源３から放射される光の照射強度は塊茎８の頂部への被照射量が５μｍｏｌ／ｍ２／ｓとなるように調整した。
また、上記４つのグループのそれぞれにおいて、ＬＥＤ光源３からシクラメン７の生長点９に照射した光は下表１に示す通りである。
また、各グループでは、上記表１に示される光を１７：００〜翌日５：００の間、９０日間にわたって照射した。
【００３８】
【表１】
0003203804.tif 000003
【００３９】
（ii）各サンプルの評価方法について
上述のような試験を実施した後、各シクラメン７のサンプルから本実施の形態に係る花芽分化促進用補光装置１を取り外して、専門の鑑定人によりシクラメン７の品質を目視や触感により評価した。また、各サンプルの評価値は、３人の鑑定人の評価の平均値とした。なお、評価内容は以下に示す通りである。
・草姿：見た目のみの評価（−３〜３点）
・硬さ：手による感触のみの評価（−３〜３点）
・全体品質：草姿と硬さの総合評価（−３〜３点）
【００４０】
（iii）評価結果について
図４は本試験に供試した各サンプルの各処理区毎の草姿、硬さ及び全体品質についての評価結果を示したグラフである。なお、図４に示したものは、ヤードステック法による評価値である。
図４から明らかなように、波長３９０〜４７０ｎｍの間にピークを有する光を照射した処理区１〜３では、いずれも上記光を照射しなかったコントロール区と比較して草姿、硬さ及び全体品質の全てにおいて３ポイント近く評価が高かった。
従って、本実施の形態に係る花芽分化促進用補光装置１によれば、シクラメン７の生長点９に波長３９０〜４７０ｎｍの間にピークを有する光を照射することで、そうでない場合に比べて高品質な鉢植えシクラメンを生産できることが示された。
また、この度の試験結果によると、シクラメン７の生長点９への赤色光の補光（非特許文献１に開示される技術内容）が、シクラメン７の品質に明確な影響を及ぼすという事実は認識されなかった。
【産業上の利用可能性】
【００４１】
以上説明したように本考案は、鉢植え植物の中央部（生長点）への日照を改善しつつ、必要に応じて中央部（生長点）に所望領域にピークを有する光を補光することができる花芽分化促進用補光装置であり、農業、花卉栽培業等に関する技術分野において利用可能である。
【符号の説明】
【００４２】
１…花芽分化促進用補光装置  ２…押圧部  ２ａ…下面  ２ｂ…内側面  ２ｃ…外側面  ３…ＬＥＤ光源  ４…脚部  ５…切れ目  ６…傾斜面  ７…シクラメン  ８…塊茎  ９…生長点  １０…根  １１…葉  １２…茎  １３…培養土
【図１】
0003203804.tif 000004
【図２】
0003203804.tif 000005
【図３】
0003203804.tif 000006
【図４】
0003203804.tif 000007